(57)【特許請求の範囲】
【請求項１】
下側部分が地中に埋設される支柱下部と、前記支柱下部の上側に前記支柱下部と同軸に配置された支柱上部と、前記支柱下部と前記支柱上部とを連結する受筒部とを備え、傾斜地の山側斜面に設置される防護体用の支柱において、
前記支柱下部は、円柱状外形の本体である下部本体を有し、前記下部本体の上端部の外周面に、前記下部本体の軸方向に設けられた複数の突条あって、複数の棒鋼が前記下部本体に溶着して成る下部突条が設けられ、
前記支柱上部は、円柱状外形の本体である上部本体を有し、前記上部本体の下端部の外周面に、前記上部本体の軸方向に設けられた複数の突条あって、複数の棒鋼が前記上部本体に溶着して成る上部突条が設けられ、
前記受筒部は、本体である受鋼管を有し、前記受鋼管の内周面に、前記受鋼管の軸方向に設けられた複数の突条あって、複数の棒鋼が前記受鋼管に溶着して成る受突条が設けられ、
組み立てた状態で、前記支柱下部の上端部は、前記受筒部の下端側の内側に配置され、前記下部突条が前記受突条に係合し、前記受筒部の下端部は、前記支柱下部の上端部の外周面に溶着され、前記支柱上部の下端部は、前記受筒部の上端側の内側に配置され、前記上部突条が前記受突条に係合し、前記支柱下部、支柱上部及び前記受筒部は、前記支柱下部及び支柱上部と前記受筒部との隙間に充填された充填材により一体に接合していることを特徴とする防護体用の支柱。
【請求項２】
前記支柱上部の上部本体及び前記支柱下部の下部本体は鋼管で成り、前記各鋼管の内側に補強用鋼材が配置され充填材で埋められている請求項１記載の防護体用の支柱。
【請求項３】
前記支柱上部は、表面全体が耐候性メッキにより覆われ、前記支柱下部及び前記受筒部は、耐候性メッキによりに覆われている請求項１又は２記載の防護体用の支柱。
【請求項４】
下側部分が地中に埋設される支柱下部と、前記支柱下部の上側に前記支柱下部と同軸に配置された支柱上部と、前記支柱下部と前記支柱上部とを連結する受筒部とを備え、傾斜地の山側斜面に設置される防護体用の支柱の施工方法において、
前記支柱下部は、円柱状外形の本体である下部本体を有し、前記下部本体の上端部の外周面に、前記下部本体の軸方向に設けられた複数の突条あって、複数の棒鋼が前記下部本体に溶着して成る下部突条が設けられ、
前記支柱上部は、円柱状外形の本体である上部本体を有し、前記上部本体の下端部の外周面に、前記上部本体の軸方向に設けられた複数の突条あって、複数の棒鋼が前記上部本体に溶着して成る上部突条が設けられ、
前記受筒部は、本体である受鋼管を有し、前記受鋼管の内周面に、前記受鋼管の軸方向に設けられた複数の突条あって、複数の棒鋼が前記受鋼管に溶着して成る受突条が設けられ、
前記支柱下部の上端部を前記受筒部の下端側に挿入し、前記下部突条を前記受突条に係合させ、この状態で、前記受筒部の下端部を前記支柱下部の上端部の外周面に溶着させる第一の工程と、前記第一の工程の後、前記支柱上部の下端部を前記受筒部の上端側に挿入し、前記上部突条を前記受突条に係合させることによって仮固定する第二の工程と、前記第二の工程の後、前記支柱下部及び支柱上部と前記受筒部との隙間に充填材を充填し、前記支柱下部、支柱上部及び前記受筒部を一体に接合する第三の工程とを行うことを特徴とする防護体用の支柱の施工方法。
【請求項５】
前記支柱上部の上部本体及び前記支柱下部の下部本体は鋼管で成り、
前記上部本体は、前記鋼管の内側に補強用鋼材が挿通されて充填材で埋められており、前記下部本体は、前記鋼管の内側に補強用鋼材が挿通されて充填材で埋められているものを用いる請求項４記載の防護体用の支柱の施工方法。
【請求項６】
前記支柱上部と前記支柱下部及び前記受筒部は、前記下部突条と前記上部突条及び前記受突条とにより形成される隙間に、前記充填剤であるモルタルを充填し硬化させることにより、これらの接合が完了する請求項４記載の防護体用の支柱の施工方法。
【請求項７】
前記第二及び第三の工程は、前記支柱下部、前記支柱上部及び前記受筒部を施工現場に輸送し、前記支柱下部の下側部分を地中に埋設した後に行う請求項４乃至６のいずれか記載の防護体用の支柱の施工方法。
【発明の詳細な説明】
【技術分野】
【０００１】
本発明は、山間地の道路等の山側斜面に構築され、土砂や落石等を受け止めて道路等への落下、流入を阻止する防護体に使用される支柱及びその施工方法に関する。
【背景技術】
【０００２】
従来、この種の防護体用の支柱として、例えば特許文献１に開示されているように、基礎に固定する支柱下部と、この支柱下部の上部に設ける支柱上部とを連結した支柱であって、支柱下部の上側に、支柱上部の下端を挿入固定する受筒部を設けた支柱があった。
【０００３】
支柱下部、支柱上部及び受筒部はそれぞれ鋼管により形成され、支柱下部及び支柱上部の外径は互いに等しく、受筒部の内径は、支柱下部及び支柱上部の外径よりもゆとりをもって大きく設定されている。受筒部の上端部と支柱上部の外周面には、それぞれフランジ状の鍔継手が延設されている。また、受筒部の軸方向のほぼ中央部の外周面が、肉厚部により補強されている。
【０００４】
この支柱を施工するときは、支柱下部の上端部を受筒部の下端側に挿入し、受筒部の下端部を支柱下部の上端部の外周面に溶着する。さらに、支柱上部の下端部を、受筒部の上端側に挿入し、受筒部と支柱上部の鍔継手同士をボルトのナットを用いて接合し、受筒部と支柱上部を仮固定する。その後、支柱上部及び支柱下部と受筒部とが対向する隙間にエポキシ系接着剤等の接合剤を充填し、支柱上部、支柱下部及び受筒部を一体に接合する。
【０００５】
複数の支柱を地面に立設した後、例えば、各支柱の先端部と斜面との間を控えロープで接続し、各支柱の間にネット等を張設することによって、防護柵等を形成する。
【０００６】
通常の一体物の支柱の場合、外形が大きいので、工場等で防錆用のメッキ処理を行うとき、特別な大きさのメッキ槽が必要になる。また、山間地の施工現場への輸送が大変であり、現場での据え付け作業を行う際にも専用の重機が必要になるケースがある。しかし、この支柱のように小形のパーツを組み合わせて大形の支柱を形成する構造は、小形のパーツの状態でメッキ処理、輸送及び据え付け作業を行うことができるので、各作業を容易に行うことができる。
【先行技術文献】
【特許文献】
【０００７】
【特許文献１】特開２００８−３１７４２号公報
【発明の概要】
【発明が解決しようとする課題】
【０００８】
特許文献１の支柱は、支柱上部と受筒部の鍔継手をナット等で接合する作業が生じ、非常に面倒である。さらに、落石等の耐衝撃性能について見ると、一体物の支柱よりも劣るという問題がある。
【０００９】
図１３のグラフは、支柱の耐荷重性を評価するため、特許文献1に開示された従来の構造の支柱２の中央部両側の２箇所に荷重を加えて支柱の変位を測定し、「荷重−変位」特性を描いたものである。一体物の支柱の場合、塑性変形の後においてもなだらかなカーブになるので、一定の耐荷重性及び衝撃吸収性が得られる。
【００１０】
これに対して、特許文献１の支柱の場合、最大荷重がほぼ同様となるように設計した場合、塑性変形が進行する過程で、鍔継手同士を接合するボルト等が瞬間的に破損し、図１３の従来の支柱の曲線に示すように、耐荷重性がピークPaから急激に低下する。したがって、防護柵は、一定以上の大きさの落石等を受けると、支柱の連結部分が急激に折れ曲がり、衝撃エネルギーの吸収が少なく、落石等を保持しているネット等にも大きな衝撃が加わって破損し、防護柵全体の耐衝撃性が急激に低下する可能性がある。また、この支柱は、連結部分を補強するため受筒部に肉厚部が設けられているが、引用文献１の図１等に記載されているような構造の場合、補強の効果は限定的である。
【００１１】
なお、ボルト等による接合は仮固定用なので、支柱を施工した後で接合を解除することによって、ボルト等の破損による急激な変化は発生しなくなる。しかし、ボルト等による接合を解除する作業が追加になるので、作業者の負担がさらに大きくなる上、受筒部に対して支柱下部及び支柱上部が僅かの隙間を有して嵌合し接合剤で接着されているだけであるので、この鍔部の接合を解除すると、耐荷重性のピークが上記のPaよりも大きく低下し、全体として、一体物の支柱に近い耐荷重性を得ることは難しい。
【００１２】
本発明は、上記背景技術に鑑みて成されたものであり、複数のパーツを組み合わせた構造でありながら、一体物の支柱に近い耐荷重性を得ることができ、施工作業も容易な防護体用の支柱及びその施工方法を提供することを目的とする。
【課題を解決するための手段】
【００１３】
本発明は、下側部分が地中に埋設される支柱下部と、前記支柱下部の上側に前記支柱下部と同軸に配置された支柱上部と、前記支柱下部と前記支柱上部とを連結する受筒部とを備え、傾斜地の山側斜面に設置される防護体用の支柱であって、
前記支柱下部は、円柱状外形の本体である下部本体を有し、前記下部本体の上端部の外周面に、前記下部本体の軸方向に設けられた複数の突条あって、複数の棒鋼が前記下部本体に溶着して成る下部突条が設けられ、前記支柱上部は、円柱状外形の本体である上部本体を有し、前記上部本体の下端部の外周面に、前記上部本体の軸方向に設けられた複数の突条あって、複数の棒鋼が前記上部本体に溶着して成る上部突条が設けられ、前記受筒部は、本体である受鋼管を有し、前記受鋼管の内周面に、前記受鋼管の軸方向に設けられた複数の突条あって、複数の棒鋼が前記受鋼管に溶着して成る受突条が設けられ、
組み立てた状態で、前記支柱下部の上端部は、前記受筒部の下端側の内側に配置され、前記下部突条が前記受突条に係合し、前記受筒部の下端部は、前記支柱下部の上端部の外周面に溶着され、前記支柱上部の下端部は、前記受筒部の上端側の内側に配置され、前記上部突条が前記受突条に係合し、前記支柱下部、支柱上部及び前記受筒部は、前記支柱下部及び支柱上部と前記受筒部との隙間に充填された充填材により一体に接合している防護体用の支柱である。
【００１４】
前記支柱上部の上部本体及び前記支柱下部の下部本体は鋼管で成り、前記各鋼管の内側に補強用鋼材が配置され充填材で埋められていることが好ましい。また、前記支柱上部は、表面全体が耐候性メッキにより覆われ、前記支柱下部及び前記受筒部も、表面全体が耐候性メッキによりに覆われていることが好ましい。
【００１５】
また本発明は、下側部分が地中に埋設される支柱下部と、前記支柱下部の上側に前記支柱下部と同軸に配置された支柱上部と、前記支柱下部と前記支柱上部とを連結する受筒部とを備え、傾斜地の山側斜面に設置される防護体用の支柱の施工方法であって、
前記支柱下部は、円柱状外形の本体である下部本体を有し、前記下部本体の上端部の外周面に、前記下部本体の軸方向に設けられた複数の突条あって、複数の棒鋼が前記下部本体に溶着して成る下部突条が設けられ、前記支柱上部は、円柱状外形の本体である上部本体を有し、前記上部本体の下端部の外周面に、前記上部本体の軸方向に設けられた複数の突条あって、複数の棒鋼が前記上部本体に溶着して成る上部突条が設けられ、前記受筒部は、本体である受鋼管を有し、前記受鋼管の内周面に、前記受鋼管の軸方向に設けられた複数の突条あって、複数の棒鋼が前記受鋼管に溶着して成る受突条が設けられ、
前記支柱下部の上端部を前記受筒部の下端側に挿入し、前記下部突条を前記受突条に係合させ、この状態で、前記受筒部の下端部を前記支柱下部の上端部の外周面に溶着させる第一の工程と、前記第一の工程の後、前記支柱上部の下端部を前記受筒部の上端側に挿入し、前記上部突条を前記受突条に係合させることによって仮固定する第二の工程と、前記第二の工程の後、前記支柱下部及び支柱上部と前記受筒部との隙間に充填材を充填し、前記支柱下部、支柱上部及び前記受筒部を一体に接合する第三の工程とを行う防護体用の支柱の施工方法である。
【００１６】
前記支柱上部の上部本体及び前記支柱下部の下部本体は鋼管で成り、前記上部本体は、前記鋼管の内側に補強用鋼材が挿通されて充填材で埋められており、前記下部本体は、前記鋼管の内側に補強用鋼材が挿通されて充填材で埋められているものを用いて施工すると良い。
【００１７】
前記支柱上部と前記支柱下部及び前記受筒部は、前記下部突条と前記上部突条及び前記受突条とにより形成される隙間に、前記充填剤であるモルタルを充填し硬化させることにより、これらの接合が完了するものである。
【００１８】
さらに、前記第二及び第三の工程は、前記支柱下部、前記支柱上部及び前記受筒部を施工現場に輸送し、前記支柱下部の下側部分を地中に埋設した後に行うことが好ましい。
【発明の効果】
【００１９】
本発明の防護体用の支柱及びその施工方法によれれば、小形のパーツを組み合わせて大形の支柱を形成する構造なので、施工現場への輸送、現場での据え付け作業等を容易に行うことができる。さらに、支柱を施工するとき、鍔継手をナット等で接合したり解除したりする面倒な作業が不要であり、作業者の負担を軽減することができる。
【００２０】
また、本発明の支柱の「荷重−変位」特性は、塑性変形の後においても、なだらかに変化する耐荷重性が得られ、しかも、支柱上部、支柱下部及び受筒部に溶着された棒鋼等の突条により、連結部分が効果的に補強されているので、一体物の支柱に近い耐荷重性及び衝撃吸収性を得ることができる。さらに、支柱上部と支柱下部の内側に補強用鋼材を配置し充填材で埋めることによって、支柱の耐荷重性をさらに向上させることができる。
【図面の簡単な説明】
【００２１】
【図１】本発明の防護体用の支柱の一実施形態を用いて施工された防護柵を示す図である。
【図２】この実施形態の支柱の支柱下部及び支柱上部を示す正面図（ａ）、平面図（ｂ）である。
【図３】この実施形態の支柱の支柱下部及び支柱上部の内側に配置される補強用鋼材を示す正面図（１）、側面図（ｂ）、平面図（ｃ）である。
【図４】この実施形態の支柱の受筒部を示す正面図（ａ）、平面図（ｂ）である。
【図５】支柱下部及び受筒部の製作手順を示すフローチャートである。
【図６】図５に示す第五の工程を行った後の支柱下部及び受筒部の状態を示す側面図（ａ）、Ａ−Ａ断面図（ｂ）である。
【図７】支柱上部の製作手順を示すフローチャートである。
【図８】支柱下部及び受筒部に支柱上部を連結する手順を示すフローチャートである。
【図９】図８に示す第三の工程を行った後の支柱の受筒部及びその近傍の状態を示す側面図である。
【図１０】図９のＢ−Ｂ断面図である。
【図１１】図１に示す防護柵の施工手順の一例を示すフローチャート（ａ）、施工手順の他の例を示すフローチャート（ｂ）である。
【図１２】この実施形態の支柱の「荷重−変位」特性を示すグラフである。
【図１３】従来の支柱の「荷重−変位」特性を示すグラフである。
【発明を実施するための形態】
【００２２】
以下、本発明の防護体用の支柱及びその施工方法の一実施形態について、図面に基づいて説明する。図１に示す防護体は、山間地の道路や線路等の山側の斜面Ｓに設けられた防護柵１０であり、落石や土砂崩れ等が発生しやすい危険箇所に沿って設置されている。防護柵１０は、この実施形態の支柱１２を略均等間隔に立設し、必要に応じて各支柱１２の上端部と斜面Ｓとの間を控えロープ１４で接続し、隣り合う支柱１２同士の間にネット１６を張設することにより形成されている。
【００２３】
支柱１２は、下側部分が地中に埋設された支柱下部１８と、支柱下部１８の上側に支柱下部１８と同軸に配置された支柱上部２０と、支柱下部１８と支柱上部２０とを連結する受筒部２２とを備えている。
【００２４】
支柱下部１８は、図２に示すように、円筒形の鋼管で成る下部本体１８ａを有し、下部本体１８ａの上端部の外周面に、下部本体１８ａの軸方向に配置された複数の下部突条１８ｂが設けられている。下部突条１８ｂは、複数の棒鋼２４が下部本体１８ａの外周面に溶着したものである。下部突条１８ｂは、外周面の山側に２つ、谷側に２つ、それぞれ所定の間隔を空けて設けられている。
【００２５】
また、図６に示すように、支柱下部１８の内側には補強用鋼材２６が配置され充填材２８で埋められている。補強用鋼材２６は、図３に示すように、支柱下部１８とほぼ同じ長さの型鋼２６ａを有している。型鋼２６ａの断面形状は略Ｈ形で、２つのフランジが外向きの円弧状に湾曲し、その外側面に補強用の棒鋼２６ｂが溶着して一体になっている。２つのフランジは、それぞれ山側と谷側に配置される。充填材２８については後で説明する。
【００２６】
支柱上部２０は、ここでは支柱下部１８と同じものが兼用されている。以下、支柱上部２０と支柱下部１８とを区別するため、支柱上部２０の各部分について、下部本体１８ａに対応する部分を上部本体２０ａ、下部突条１８ｂに対応する部分を上部突条２０ｂと称する。なお、支柱上部２０の場合は、上部突条２０ｂが設けられた側が下端側となる。
【００２７】
受筒部２２は、図４に示すように、本体である受鋼管２２ａを有し、受鋼管２２ａの内周面に、受鋼管２２ａの軸方向に配置された複数の受突条２２ｂが設けられている。受突条２２ｂは、複数の棒鋼２４が下部本体１８ａの外周面に溶着したものである。受突条２２ｂは、内周面の山側に３つ、谷側に３つ、それぞれ所定の間隔を空けて設けられている。
【００２８】
以下、支柱１２の施工方法の一実施形態を説明しながら、支柱１２の組み立て状態の構造について説明する。
【００２９】
図５は、支柱下部１８及び受筒部２２の製作手順を示しており、この中のＪ１，Ｊ２，Ｊ３は、施工の前準備の工程である。準備工程Ｊ１は、上記の支柱下部１８を製作する工程であり、下部本体１８ａの内周面に異形棒鋼等の棒鋼２４を抵抗溶接等の方法で溶着し、下部突条１８ｂを形成する。準備工程Ｊ２は、上記の補強用鋼材２６を製作する工程であり、型鋼２６ａのフランジの外側面に異形棒鋼等の棒鋼２６を抵抗溶接等の方法で溶着する。準備工程Ｊ３は、上記の受筒部２２を製作する工程であり、受鋼管２２ａの内周面に異形棒鋼等の棒鋼２４を抵抗溶接等の方法で溶着し、受突条２２ｂを形成する。
【００３０】
支柱下部１８及び受筒部２２が用意できると、まず、第一の工程Ｋ１を行う。第一の工程Ｋ１は、支柱下部１８の上端部を受筒部２２の下端側に挿入し、下部突条１８ｂを受突条２２ｂに係合させ、この状態で、受筒部２２の下端部を支柱下部１８の上端部の外周面に溶着させる工程である。
【００３１】
支柱下部１８を受筒部２２に挿入するときは、各下部突条１８ｂが相手方の受突条２２ｂの間に入り込むように挿入する。したがって、下部突条１８ｂが受突条２２ｂにガイドされる形になり、支柱下部１８を規定の向きに正確に挿入することができる。また、突条１８ｂ，２２ｂは、支柱下部１８と受筒部２２が互いに隙間を空けて同軸に配置されるように位置決めするスペーサの働きをし、下部突条１８ｂと受突条２２ｂが適度に係合することによって、支柱下部１８と受筒部２２が仮固定される。受筒部２２を支柱下部１８に溶着させるときは、例えば抵抗溶接等の方法を用いる（溶着部２２ｃ）。
【００３２】
第一の工程Ｋ１の後、支柱下部１８及び受筒部２２の表面全体を耐候性メッキで覆うメッキ工程（Ｋ１１）に移る。耐候性メッキは、例えば防錆性を向上させるための溶融亜鉛メッキ等が好適で、一体化した支柱下部１８及び受筒部２２をメッキ槽のメッキ液の中に浸漬して行う。完成した支柱１２の状態でメッキ処理を行うと、通常よりも大きいメッキ槽が必要になるが、支柱下部１８及び受筒部２２の状態（パーツの状態）であれば、通常の大きさのメッキ槽でも十分対応できる。
【００３３】
そして、メッキ工程Ｋ１１の後、補強工程Ｋ１２を行う。補強工程Ｋ１２は、下部本体１８の内側に補強用鋼材２６を配置して充填材２８で埋めて硬化させる工程である。充填材２８は、セメントや無収縮モルタル等が好適である。
【００３４】
以上の工程Ｊ１，Ｊ２，Ｊ３，Ｋ１，Ｋ１１，Ｋ１２を行うことによって、図６（ａ）、（ｂ）に示す支柱下部１８及び受筒部２２が製作される。
【００３５】
図７は、支柱上部２０の製作手順を示しており、この中のＪ４，Ｊ２は、施工の前準備の工程である。準備工程Ｊ４は支柱上部２０を製作する工程であり、ここでは支柱下部１８が兼用されるので、作業内容は上記の準備工程Ｊ１と同様である。準備工程Ｊ２は、上記のように、補強用鋼材２６を製作する工程である。
【００３６】
支柱上部２０が用意できると、まず、メッキ工程Ｋ１３を行う。メッキ工程Ｋ１３は、支柱上部２０の表面全体を耐候性メッキで覆う工程である。耐候性メッキは、上記のように、例えば防錆性を向上させるための溶融亜鉛メッキ等が好適で、支柱上部２０をメッキ槽のメッキ液の中に浸漬して行う。支柱上部２０の状態（パーツの状態）であれば、通常の大きさのメッキ槽でも十分対応できる。
【００３７】
そして、メッキ工程Ｋ１３の後、補強工程Ｋ１４を行う。補強工程Ｋ１４は、上部本体２０の内側に補強用鋼材２６を配置して充填材２８で埋めて硬化させる工程である。充填材２８は、無収縮モルタル等が好適である。
【００３８】
以上の工程Ｊ４，Ｊ２，Ｋ１３，Ｋ１４を行うことによって、図６（ａ）、（ｂ）と同様の構造であって、受筒部２２を省略した状態の支柱上部２０が製作される。なお、図７では省略しているが、支柱上部２０の場合、メッキ工程Ｋ１４の後、ネット１６を支持するための金具等を取り付ける工程が設けられる。
【００３９】
図８は、図５に示す手順で製作された支柱下部１８及び受筒部２２に、図７に示す手順で製作された支柱上部２０を連結する手順を示している。
【００４０】
第二の工程Ｋ２は、支柱上部２０の下端部を受筒部２２の上端側に挿入し、上部突条２０ｂを受突条２２ｂに係合させることによって仮固定する工程である。支柱上部２０を受筒部２２に挿入するときは、上述した支柱下部１８の場合と同様に、各上部突条２０ｂが相手方の受突条２２ｂの間に入り込むように挿入する。したがって、上部突条２０ｂが受突条２２ｂにガイドされる形になり、支柱上部２０を規定の向きに正確に挿入することができる。また、突条２０ｂ，２２ｂは、支柱上部２０と受筒部２２が互いに隙間を空けて同軸に配置されるように位置決めするスペーサの働きをし、上部突条２０ｂと受突条２２ｂが適度に係合することによって、支柱上部２０と受筒部２２が仮固定される。
【００４１】
そして、第二の工程Ｋ２の後、第三の工程Ｋ３を行う。第三の工程Ｋ３は、支柱下部１８及び支柱上部２０と受筒部２２との隙間に充填材３０に充填し硬化させて、支柱下部１８、支柱上部２０及び受筒部２２を一体に接合する工程である。充填材３０は、いわゆる間詰め材であり、例えば、無収縮モルタルが好適であり、セメントやエポキシ系接着剤でも良い。
【００４２】
以上の工程Ｋ２，Ｋ３を行うことによって、支柱下部１８及び受筒部２２に支柱上部２０が連結され、図９、図１０に示す支柱１２の状態になる。
【００４３】
ここまで、支柱１２の施工方法の一例を説明したが、上述した各工程は、防護柵１０を施工する一連の作業の中の一部として行われる。
【００４４】
図１１（ａ）は、防護柵１０の施工手順の好ましい一例を示している。この例では、支柱下部１８及び受筒部２２を製作する工程（Ｊ１，Ｊ２，Ｊ３，Ｋ１，Ｋ１１，Ｋ１２）と、支柱上部２０を製作する工程（Ｊ２，Ｊ４，Ｋ１３，Ｋ１４）を工場等で行い、各部材をパーツの状態で山間地の施工現場に輸送する。そして、施工現場で支柱下部１８を斜面Ｓに埋設した後、支柱下部１８及び受筒部２２と支柱上部２０とを連結する工程（Ｋ２，Ｋ３）を行って支柱１２を完成させ、控えロープ１４及びネット１６等を設営する。
【００４５】
この施工手順によれば、工場等から現場までの支柱１２の輸送を、小形のパーツの状態で行うことができるので、特別な大型トラック等を用意しなくてもよいという利点がある。また、支柱１２を組み立てる作業の一部（Ｋ２，Ｋ３）を現場で行うことになるが、どちらも容易な作業なので、現場作業者の負担の増加は小さい。
【００４６】
また、図１１（ｂ）は、防護柵１０の施工手順の他の例を示している。この例では、支柱下部１８及び受筒部２２を製作する工程（Ｊ１，Ｊ２，Ｊ３，Ｋ１，Ｋ１１，Ｋ１２）と、支柱上部２０を製作する工程（Ｊ２，Ｊ４，Ｋ１３，Ｋ１４）と、支柱下部１８及び受筒部２２と支柱上部２０とを連結する工程（Ｋ２，Ｋ３）をすべて工場等で行い、支柱１２に組み立てられた状態で山間地の施工現場に輸送する。そして、施工現場で支柱下部１８の部分を斜面Ｓに埋設し、ネット１６及び必要に応じて控えロープ１４等を設営する。この施工手順は、輸送用の大型トラックが確保できる場合に有効であり、現場で支柱１２を組み立てる作業が不要になるので、現場作業者の負担を最小限に抑えることができる。
【００４７】
組み立てられた支柱１２の「荷重−変位」特性は、図１２に示すように、塑性変形の後においてもなだらかなカーブになり、一体物の支柱に近い耐荷重性及び衝撃吸収性が得られる。
【００４８】
以上説明したように、この実施形態の支柱１２及びその施工方法によれれば、小形のパーツを組み合わせて大形の支柱１２を形成する構造なので、耐候性メッキの処理、施工現場への輸送、現場での据え付け作業を容易に行うことができる。さらに、支柱１２を施工するとき、鍔継手をナット等で接合したり解除したりする面倒な作業が不要であり、作業者の負担を軽減することができる。
【００４９】
また、支柱１２の「荷重−変位」特性は、塑性変形の後においても、なだらかな耐荷重性が得られ、しかも、支柱上部２０、支柱下部１８及び受筒部２２に溶着された棒鋼２４により、連結部分が効果的に補強されているので、一体物の支柱に近い耐荷重性及び衝撃吸収性を得ることができる。特に、連結部分の隙間に無収縮モルタルの充填材３０を充填して硬化させた場合、連結部分に荷重が作用して圧力がかかっても、モルタルが破壊しにくく、破壊した後も圧縮荷重に対して高い強度を有し、且つ支柱上部２０、支柱下部１８及び受筒部２２との間で大きな間摩擦力を有するので、大きな耐荷重性及び衝撃吸収性を得ることができる。さらに、支柱上部２０と支柱下部１８の内側に補強用鋼材２６を配置し充填材２８で埋めてあるので、支柱１２の耐荷重性がさらに向上している。
【００５０】
なお、本発明の防護体用の支柱及びその施工方法は、上記実施形態に限定されるものではない。支柱１０の場合、支柱上部２０として、支柱下部１８と同じものが使用されているが、支柱上部は、受筒部を介して支柱下部と連結可能なものであればよく、外形（長さ等）が異なるものを使用してもよい。なお、外形が異なる場合は、その外形に合わせて適切な外形の補強用鋼材を新規に設けるとよい。また、支柱下部１８、支柱上部２０及び受筒部２２に形成された突条１８ｂ，２０ｂ，２２ｂは、連結部分を補強するための棒鋼２４により形成されたものであればよく、各突条１８ｂ，２０ｂ，２２ｂの数や幅や高さは、上記の各工程を実施する際の作業性を考慮して、適宜変更することができる。
【００５１】
さらに、補強用鋼材２６は、支柱上部２０と支柱下部１８を貫通していても良く、少なくとも支柱下部１８から受筒部２２を経て支柱上部２０に入るような長さに形成されていると良い。また、補強用鋼材２６を設ける補強工程Ｋ１２，Ｋ１４は、支柱１２の施工現場で行っても良い。
【００５２】
この他、施工現場の環境条件が合えば、耐候性メッキの処理は省略することができる。また、上記の支柱上部１８及び支柱下部２０は、内側に補強用鋼材２６が埋め込まれて補強されているが、補強用鋼材２６以外の形状の補強用鋼材を使用してもよい。また、補強用鋼材２６は耐候性メッキ処理を行わなくてもよく、メッキ槽内に収まるように短くする必要がない。したがって、補強用鋼材２６以外の各部材を支柱１２の状態に組み立てた後、上部本体２０及び下部本体１８内を通貫する長尺の補強用鋼材２６を埋め込むようにしてもよい。また、上部本体及び下部本体の強度が十分であれば、補強用鋼材及び充填材を省略してもよく、上部本体及び下部本体として鋼管以外の部材を使用することも可能である。
【００５３】
また、この支柱及び施工方法が適用できる防護体は特に限定されず、ネットが張設される防護柵以外の様々な防護体に適用することができる
【符号の説明】
【００５４】
１０  防護柵（防護体）
１２  支柱
１８  支柱下部
１８ａ  下部本体（鋼管）
１８ｂ  下部突条
２０  支柱上部
２０ａ  上部本体（鋼管）
２０ｂ  上部突条
２２  受筒部
２２ａ  受鋼管
２２ｂ  受突条
２２ｃ  溶着部
２４  棒鋼
２６  補強用鋼材
２８，３０  充填材
Ｋ１  第一の工程
Ｋ２  第二の工程
Ｋ３  第三の工程
【図１】
0006433459.tif 000002
【図２】
0006433459.tif 000003
【図３】
0006433459.tif 000004
【図４】
0006433459.tif 000005
【図５】
0006433459.tif 000006
【図６】
0006433459.tif 000007
【図７】
0006433459.tif 000008
【図８】
0006433459.tif 000009
【図９】
0006433459.tif 000010
【図１０】
0006433459.tif 000011
【図１１】
0006433459.tif 000012
【図１２】
0006433459.tif 000013
【図１３】
0006433459.tif 000014